(57)【要約】【課題】  本発明は、ホワイトバランス補正に必要となる画像を取得しつつ、一連の撮影動作の高速化を図る技術を提供することを目的とする。【解決手段】  本発明の撮像装置は、被写体を撮影して画像を生成する撮像部と、被写体と撮像部とを結ぶ光路上に挿抜される白色拡散板と、白色拡散板が光路上に挿入された状態で撮像部によって取得されるホワイトバランス画像を用い、被写体の画像に対するホワイトバランス補正を行うホワイトバランス補正部と、白色拡散板を光路上から抜いた状態で、撮像部に被写体の撮影を先に実行させることにより、被写体の撮影における撮像部の撮影して画像を生成する撮影条件に基づいて、後のホワイトバランス画像の取得条件を決定する制御部とを備えることを特徴とする。【選択図】      図１
2009147642.tif 000002
【特許請求の範囲】
【請求項１】
被写体を撮影して画像を生成する撮像部と、
前記被写体と前記撮像部とを結ぶ光路上に挿抜される白色拡散板と、
前記白色拡散板が前記光路上に挿入された状態で前記撮像部によって取得されるホワイトバランス画像を用い、前記被写体の画像に対するホワイトバランス補正を行うホワイトバランス補正部と、
前記白色拡散板を前記光路上から抜いた状態で、前記撮像部に前記被写体の撮影を先に実行させることにより、前記被写体の撮影における前記撮像部の撮影して画像を生成する撮影条件に基づいて、後の前記ホワイトバランス画像の取得条件を決定する制御部と、
を備えることを特徴とする撮像装置。
【請求項２】
請求項１に記載の撮像装置において、
撮像領域を測光する測光部をさらに備え、
前記制御部は、
前記撮影条件のうち前記測光部の測光によって決まる露出条件に基づいて、前記ホワイトバランス画像の取得条件を決定する
ことを特徴とする撮像装置。
【請求項３】
請求項１または請求項２に記載の撮像装置において、
前記制御部は、
前記撮影条件のうち前記被写体の画像の解像度に基づいて、前記ホワイトバランス画像の取得条件を決定する
ことを特徴とする撮像装置。
【請求項４】
請求項１ないし請求項３のいずれか１項に記載の撮像装置において、
前記制御部は、
前記撮影条件に基づいて、前記白色拡散板を前記光路中に挿入して前記ホワイトバランス画像を取得するか否かの判定を行う判定部をさらに備え、
前記制御部は、
前記判定部が前記白色拡散板を前記光路上に挿入しないと判断した場合、所定のホワイトバランス補正値を用いた前記ホワイトバランス補正を前記ホワイトバランス補正部に行わせる
ことを特徴とする撮像装置。
【請求項５】
請求項１ないし請求項４のいずれか１項に記載の撮像装置において、
前記制御部は、
前記被写体画像において複数の領域における特徴量を算出し、前記特徴量に基づいて前記ホワイトバランス画像のうち前記ホワイトバランス補正部において用いる領域を選択する
ことを特徴とする撮像装置。
【発明の詳細な説明】
【技術分野】
【０００１】
本発明は、ホワイトバランスの補正機能を有する撮像装置に関する。
【背景技術】
【０００２】
従来、デジタルカメラ等の撮像装置によって撮影される画像の発色は、撮影環境（晴天や曇天等の気象条件あるいは蛍光灯や白熱球が点された室内等）によって変化する。その撮影環境による影響を補正する方法として、ホワイトバランス補正と呼ばれる手法が一般的に用いられる。
【０００３】
例えば、特許文献１には、被写体とを結ぶ光路上に挿抜される白色拡散板を有し、被写体の撮影を行う前に、白色拡散板を挿入してホワイトバランス補正用の画像を取得する撮像装置が開示されている。
【特許文献１】特開平１０−２１０４８７号公報
【発明の開示】
【発明が解決しようとする課題】
【０００４】
しかしながら、従来技術である特許文献１の撮像装置は、被写体を撮影する前に、ホワイトバランス補正用の画像を取得するために、実際にレリーズ釦を押してから被写体が撮影されるまでに長い時間がかかるために、実際に撮影したい場面を逃してしまう。
【０００５】
上記従来技術が有する問題に鑑み、本発明の目的は、ホワイトバランス補正に必要となる画像を取得しつつ、一連の撮影動作の高速化を図る技術を提供することにある。
【課題を解決するための手段】
【０００６】
第１の発明の撮像装置は、被写体を撮影して画像を生成する撮像部と、被写体と撮像部とを結ぶ光路上に挿抜される白色拡散板と、白色拡散板が光路上に挿入された状態で撮像部によって取得されるホワイトバランス画像を用い、被写体の画像に対するホワイトバランス補正を行うホワイトバランス補正部と、白色拡散板を光路上から抜いた状態で、撮像部に被写体の撮影を先に実行させることにより、被写体の撮影における撮像部の撮影して画像を生成する撮影条件に基づいて、後のホワイトバランス画像の取得条件を決定する制御部とを備えることを特徴とする。
【０００７】
第２の発明は、第１の発明において、撮像領域を測光する測光部をさらに備え、制御部は、撮影条件のうち測光部の測光によって決まる露出条件に基づいて、ホワイトバランス画像の取得条件を決定することを特徴とする。
【０００８】
第３の発明は、第１の発明または第２の発明において、制御部は、撮影条件のうち被写体の画像の解像度に基づいて、ホワイトバランス画像の取得条件を決定することを特徴とする。
【０００９】
第４の発明は、第１の発明ないし第３の発明のいずれかにおいて、制御部は、撮影条件に基づいて、白色拡散板を光路中に挿入してホワイトバランス画像を取得するか否かの判定を行う判定部をさらに備え、制御部は、判定部が白色拡散板を光路上に挿入しないと判断した場合、所定のホワイトバランス補正値を用いたホワイトバランス補正をホワイトバランス補正部に行わせることを特徴とする。
【００１０】
第５の発明は、第１の発明ないし第４の発明のいずれかにおいて、制御部は、被写体画像において複数の領域における特徴量を算出し、特徴量に基づいて前記ホワイトバランス画像のうちホワイトバランス補正部において用いる領域を選択することを特徴とする。
【発明の効果】
【００１１】
本発明によれば、ホワイトバランス補正に必要となる画像を取得しつつ、一連の撮影動作の高速化を図ることが可能となる。
【発明を実施するための最良の形態】
【００１２】
図１は、本発明の一の実施形態に係る撮像装置１０の構成図である。
【００１３】
撮像装置１０は、撮像レンズ１、白色拡散板２、撮像素子３、Ａ／Ｄ変換部４、バッファメモリ５、測光部６、カードインタフェース（カードＩ／Ｆ）７、タイミングジェネレータ（ＴＧ）９、挿抜駆動部１１、ＣＰＵ１２、操作部材１３、記憶部１４、表示部１５およびホワイトバランス補正部１６から構成される。ＴＧ９と挿抜駆動部１１とはＣＰＵ１２とそれぞれ接続され、撮像素子３とＡ／Ｄ変換部４とはＴＧ９とそれぞれ接続されている。バッファメモリ５、測光部６、カードＩ／Ｆ７、ＣＰＵ１２、操作部材１３、記憶部１４、表示部１５およびホワイトバランス補正部１６は、バス１７を介して情報伝達可能に接続されている。なお、図１は撮像装置１０の主要部分のみを示す。例えば、図１において、撮像レンズ１と撮像素子３との間に設置されるアイリス等は省略されている。
【００１４】
白色拡散板２は、接続部材を介して挿抜駆動部１１に接続され、ＣＰＵ１２の指示に従って、ホワイトバランス補正を行うために必要となるホワイトバランス画像を取得する際には、被写体と撮像素子３とを結ぶ光路上に挿入され、取得後には抜かれる。白色拡散板２には、一般的な透過型の白色拡散板等を用いることができる。また、挿抜駆動部１１には、プランジャ等を用いることができる。
【００１５】
撮像素子３は、ＣＰＵ１２の指令を受けてＴＧ９が発するタイミングパルスに基づいて動作し、前方に設けられた撮像レンズ１によって結像される被写体像を取得する。撮像素子３には、ＣＣＤやＣＭＯＳの半導体のイメージセンサ等を適宜選択して用いることができる。
【００１６】
撮像素子３からの画像信号は、Ａ／Ｄ変換部４にてデジタル信号に変換されて出力される。このＡ／Ｄ変換部４は、撮像素子３とともに、ＣＰＵ１２の指令によりＴＧ９が発するタイミングパルスに基づいて動作する。その出力結果は、一時的にフレームメモリ（不図示）に保持された後、バッファメモリ５に保持される。なお、バッファメモリ５には、半導体メモリのうち、任意の不揮発性メモリを適宜選択して用いることができる。
【００１７】
測光部６は、撮像素子３が被写体を撮影する前に、被写体輝度値を測光する。その測光結果に基づいて、ＣＰＵ１２は、シャッター速度、絞り値およびＩＳＯ値等の露出条件を決定し、その露出条件を用いて、ＴＧ９を介して撮像素子３に被写体の撮影指示を出す。なお、測光部６は、撮像素子３とは独立して測光を行うセンサーで構成されていても良いし、撮像素子３の出力を間引き読み出しして得られるスルー画を用いて行うセンサーで構成されていても良い。
【００１８】
カードＩ／Ｆ７には、カードメモリ８が脱着可能に装着される。バッファメモリ５に保持されている画像は、ＣＰＵ１２の指示に基づいて画像処理され、ＪＰＥＧ形式やＹＵＶ形式等のファイル形式でカードメモリ８に記録される。
【００１９】
ＣＰＵ１２は、ユーザにより操作部材１３の電源釦を介して撮像装置１０の電源が入れられると、記憶部１４に保存されている制御プログラムを読み込み、撮像装置１０を初期化する。ＣＰＵ１２は、操作部材１３を介してユーザからの指示を受け付けると、制御プログラムに基づいて、ＴＧ９に対して被写体の撮像指令を出したり、撮像した画像の処理、カードメモリ８への保存および表示部１５への表示等の制御を行う。ＣＰＵ１２には、一般的なコンピュータのＣＰＵが使用できる。
【００２０】
操作部材１３は、ユーザによる部材操作の内容に応じた操作信号をＣＰＵ１２に送る。操作部材１３には、例えば、電源釦、撮影モード等のモード設定釦およびレリーズ釦等の操作部材を有する。
【００２１】
記憶部１４は、ＣＰＵ１２が用いる撮像装置１０を制御する制御プログラム、補間処理や輪郭強調処理等の各種画像処理プログラムおよびホワイトバランス補正のうち各種撮影環境に対応した補正値等のデータを保持する。記憶部１４に保持されるプログラムやデータは、バス１７を介して、ＣＰＵ１２から適宜参照することができる。記憶部１４は、一般的なハードディスク装置、光磁気ディスク装置または脱着可能なメモリカード等の記憶装置を選択して用いることができる。
【００２２】
表示部１５は、撮影された画像やモード設定画面等を表示する。表示部１５には、液晶モニタ等を適宜選択して用いることができる。
【００２３】
次に、本実施形態に係る撮像装置１０について、図２のフローチャートを参照しながら説明する。
【００２４】
ユーザにより操作部材１３の電源釦が押されると、ＣＰＵ１２は、撮像装置１０の記憶部１４に保持されている制御プログラムを読み込み、撮像装置１０を初期化する。なお、この初期化の段階では、白色拡散板２は被写体と撮像素子３とを結ぶ光路上から外されている。ＣＰＵ１２は、図２のステップＳ１０においてユーザからの被写体の撮像指示を受け付けるまで待機する。このステップＳ１０では、ユーザが操作部材１３のモード設定釦を用いて、撮像した画像の記録解像度や電子ズームを用いて撮影するか否か等の設定を行う。この設定には、ホワイトバランス画像を撮像素子３から読み出すモード、すなわち間引き読み出しするドラフトモードか全画素読み出しする全画素モードかの読み出しモード設定も含まれる。本実施形態においては、ドラフトモードが標準の設定であるとする。この設定の後、ユーザによって操作部材１３のレリーズ釦が押されると、ＣＰＵ１２は、撮像指示が出されたと判断しステップＳ１１へ移行する。
【００２５】
ステップＳ１１では、ＣＰＵ１２が、まず測光部６に対して被写体の測光指令を出す。ＣＰＵ１２は、測光部６による被写体の測光結果に基づいて、露出条件を決定するとともに、その露出条件に応じて、ストロボ発行を行うか否かの判断もする。ＣＰＵ１２は、その露光条件を基づいて、ＴＧ９に対して撮像指令を出す。ＴＧ９はタイミングパルスを撮像素子３に発し、撮像素子３は撮像レンズ１によって結像される被写体を撮像する。撮像した被写体画像は、Ａ／Ｄ変換部４を介してバッファメモリ５に保持される。
【００２６】
ここで、本実施形態における露出条件は、露出条件と被写体輝度との関係を表した次式（１）やプログラム線図に基づいて決まる。なお、ＢＶは被写体に依存した被写体輝度、ＳＶはＩＳＯ感度、ＴＶはシャッタ速度、ＡＶはアイリス（不図示）の絞り値をそれぞれ表す。
【００２７】
ＢＶ＋ＳＶ＝ＴＶ＋ＡＶ                                （１）
ステップＳ１２では、ＣＰＵ１２が、ステップＳ１１における撮影の際、ストロボ発光を行ったか否かを判定する。ストロボ発光している場合には、ステップＳ２０（ＹＥＳ側）へ移行する。ストロボ発光していない場合には、ステップＳ１３（ＮＯ側）へ移行する。
【００２８】
次に、ホワイトバランス画像を取得してホワイトバランス補正を行う場合について説明する。
【００２９】
ステップＳ１３では、ＣＰＵ１２が、被写体画像のホワイトバランス補正を行うためのホワイトバランス画像取得にあたり、白色拡散板２を被写体と撮像素子３とを結ぶ光路上に挿入しても十分な輝度が得られるか否かを調べる。本実施形態において、ＣＰＵ１２は、ステップＳ１１で撮影した画像を、例えば、８×８の複数のブロック領域に分割し、それぞれのブロック領域毎における被写体輝度値の平均値Ｂを算出する。なお、測光部６が複数のブロック領域毎に測光可能であるならば、ステップＳ１１におけるブロック領域毎の被写体輝度値を用いても良い。ＣＰＵ１２は、各ブロック領域のうち、白色拡散板２の挿入時に必要となる最低の輝度値Ｂ１より明るいブロック領域があるか否かを判定する。ＣＰＵ１２は、Ｂ１より明るい領域が少なくとも１つあれば、ステップＳ１４（ＹＥＳ側）へ移行し、無ければステップＳ２０（ＮＯ側）へ移行する。なお、輝度値Ｂ１は、撮像素子３のノイズレベルや白色拡散板２挿入時による減光量等に基づいて決定するのが好適である。
【００３０】
ステップＳ１４では、ＣＰＵ１２が、挿抜駆動部１１に対して、白色拡散板２を被写体と撮像素子３とを結ぶ光路上に挿入する指令を出す。
【００３１】
ステップＳ１５では、ＣＰＵ１２は、白色拡散板２挿入時における露光条件を、ステップＳ１１における被写体の撮影時の露出条件を基に導出する。ＣＰＵ１２は、その露出条件を用いて、ＴＧ９に対して撮像指令を出す。ＴＧ９はタイミングパルスを撮像素子３に発し、撮像素子３はホワイトバランス画像を取得する。ＣＰＵ１２は、ステップＳ１０において、ユーザによって設定されたホワイトバランス画像の読み出しモードに従って、撮像素子３の画素から画像信号を読み出す。本実施形態では、ドラフトモードに標準設定されており、ＣＰＵ１２は、撮像素子３の画素から水平走査方向あるいは垂直走査方向に間引いて画像信号を読み出す。なお、ステップＳ１０において、ユーザにより全画素モードに設定されている場合には、撮像素子３の全ての画素の画像信号が読み出される。読み出された画像信号は、Ａ／Ｄ変換部４を介してバッファメモリ５に保持される。
【００３２】
ここで、白色拡散板２挿入時の露出条件の導出について説明する。白色拡散板２を挿入することにより減光する。そこで、その減光量を絞り値ＡＶを用いてｆＡＶで表すと、式（１）は次式（２）のようになる。
【００３３】
ＢＶ＋ＳＶ＝ＴＶ＋（ＡＶ＋ｆＡＶ）                    （２）
ｆＡＶは、白色拡散板２固有の値であり、例えば、本実施形態では、ｆＡＶ＝−０．３とする。また、白色拡散板２を挿入してホワイトバランス画像を取得する場合、絞りを開放して行うことから、絞り値ＡＶも開放絞り値で固定される。したがって、本実施形態では、例えば、被写体輝度ＢＶとしてステップＳ１１で測光部６が測光した値を、またＩＳＯ感度ＳＶとしてステップＳ１１で被写体を撮影した時の同じ値をそれぞれ用いて、シャッタ速度ＴＶ’を決める。これにより、絞りを開放することで増加した光量により、シャッタ速度ＴＶ’をステップＳ１１での被写体撮影時のシャッタ速度ＴＶより高速にすることが可能となる。これは、撮影時間の短縮することができるだけでなく、動く被写体に対しても適用することが可能となる。
【００３４】
ステップＳ１６では、ＣＰＵ１２が、挿抜駆動部１１に対して、白色拡散板２を被写体と撮像素子３とを結ぶ光路上から抜く指令を出す。
【００３５】
ステップＳ１７では、ＣＰＵ１２が、バッファメモリ５に保持されているステップＳ１５において取得したホワイトバランス画像を読み込み、ステップＳ１８における被写体画像に対するホワイトバランス補正に使用する領域を抽出する。その抽出を行うために、ＣＰＵ１２は、例えば、ホワイトバランス画像を８×８の複数のブロック領域に分割し、それぞれのブロック領域毎における被写体輝度値の平均値Ｂを算出し、ステップＳ１３の輝度値Ｂ１より明るく撮像素子３の画素の画像信号が飽和する輝度値Ｂ２より暗いブロック領域を抽出する。これにより、ステップＳ１８のホワイトバランス補正において、適切な輝度値を有するブロック領域のホワイトバランス画像を用いることで、より精度の高い補正値を求めることが可能となる。
【００３６】
なお、ＣＰＵ１２がホワイトバランス画像をバッファメモリ５から読み込む際、ステップＳ１１で撮影した被写体画像が電子ズーム等により撮影範囲の一部を拡大したのもである場合には、拡大した領域と同じ領域のホワイトバランス画像のみを読み込んでも良い。また、被写体画像の記録解像度が低く設定されている場合には、同じ低い解像度になるようにホワイトバランス画像をバッファメモリ５から読み込んでも良い。これにより、ホワイトバランス画像のデータ量を少なくすることができ、次のステップ１８におけるホワイトバランス補正処理の高速化を図ることができる。
【００３７】
ステップＳ１８では、ＣＰＵ１２が、ステップＳ１７において抽出したブロック領域のホワイトバランス画像を用い、ホワイトバランス補正の補正値を算出し被写体画像に対するホワイトバランス補正を行う。
【００３８】
ステップＳ１９では、ＣＰＵ１２が、ステップＳ１８にてホワイトバランス補正した被写体画像をＪＰＥＧ形式やＹＵＶ形式等のファイル形式にして、カードＩ／Ｆ７を介してカードメモリ８に記録して終了する。以上、ホワイトバランス画像を取得しホワイトバランス補正を行う場合の処理の手順である。
【００３９】
次に、ストロボ発光する場合や白色拡散板２を挿入すると光量不足になる場合における、ホワイトバランス補正の手順について説明する。この場合には、上述のように、ステップＳ１２またはステップＳ１３において、ステップＳ２０へ移行する。
【００４０】
ステップＳ２０では、ＣＰＵ１２が、記憶部１４に予め記憶されている、晴天や曇天等の気象条件あるいは蛍光灯やストロボ発光等における様々な撮影環境における補正値のうち、ステップＳ１１における撮影に適合する補正値を選択して読み込む。
【００４１】
ステップＳ１８では、ＣＰＵ１２が、ステップＳ２０で選択した補正値を用い、被写体画像に対するホワイトバランス補正を行う。
【００４２】
ステップＳ１９では、ＣＰＵ１２は、ホワイトバランス画像を取得してホワイトバランス補正を行う場合と同様に、ステップＳ１８にてホワイトバランス補正を行った被写体画像をＪＰＥＧ形式やＹＵＶ形式等のファイル形式にして、カードＩ／Ｆ７を介してカードメモリ８に記録して終了する。
【００４３】
このように本実施形態は、被写体撮影を先に行いホワイトバランス画像を取得することで、先の被写体撮影における露出条件や画像記録条件に基づいてホワイトバランス画像の取得条件を決めることが可能となり、一連の撮影動作の高速化を図ることができる。これにより、撮影したい場面を逃すことが無くなる。
≪実施形態に関する補足事項≫
本実施形態において、ステップＳ１３で、ＣＰＵ１２は、被写体画像の複数のブロック領域のうち白色拡散板２の挿入時に必要となる輝度値Ｂ１より明るいブロック領域があるか否かを調べるとしたが、本発明はこれに限定されない。これの輝度値Ｂ１との比較と同時に、例えば、ＣＰＵ１２は、撮像素子３の画素の画像信号が飽和する輝度値Ｂ２よりも明るい領域が存在するか否かを調べ、ホワイトバランス画像の撮像素子３の画素からの読み出しモードを、ドラフトモードから全画素モードに設定を変更するのが好適である。これにより、画像信号を飽和させる逆光のような撮影環境において、画面縦方向に白線像を生じるスミア現象の影響を軽減することができる。
【００４４】
なお、本実施形態において、ステップＳ１３とステップＳ１７とで、被写体画像およびホワイトバランス画像を８×８のブロック領域に分割したが、本発明はこれに限定されない。分割するブロック領域の数は、被写体画像の解像度、要求されるホワイトバランス補正の精度、または撮像装置１０の処理能力等によって適宜選択することができる。
【００４５】
なお、本実施形態において、ステップＳ１５でのＣＰＵ１２は、式（２）とステップＳ１１での被写体撮影時の被写体輝度ＢＶおよびＩＳＯ感度ＳＶとを用いて、ホワイトバランス画像取得時の露出条件であるシャッタ速度ＴＶ’を決定したが、本発明はこれに限定されない。例えば、ＣＰＵ１２は、式（２）とステップＳ１１での被写体撮影時の被写体輝度ＢＶおよびシャッタ速度ＴＶとを用いて、ホワイトバランス画像取得時の露出条件であるＩＳＯ感度ＳＶ’を決定しても良い。これにより、絞りを開放することで増加した光量により、ＩＳＯ感度を下げることが可能となり、画像信号中のノイズを低減することができるだけでなく、ホワイトバランス補正の処理におけるゲイン算出精度を上げることかできる。
【００４６】
なお、本実施形態において、ステップＳ１７で、ＣＰＵ１２が、バッファメモリ５からホワイトバランス画像を読み込む際、被写体画像の記録解像度が低解像度に設定されている場合には、同じ低解像度でホワイトバランス画像を読み込むとしたが、本発明はこれに限定されない。被写体画像に記録解像度よりもさらに低い解像度で、ホワイトバランス画像を読み込んでも良い。これにより、ホワイトバランス補正の処理速度が向上する。
【００４７】
なお、本実施形態において、１枚の被写体画像の撮影における一連の処理の手順について示したが、本発明はこれに限定されない。例えば、連写による被写体の撮影に対しても適用可能である。この場合には、ホワイトバランス画像は、各被写体撮影毎に白色拡散板２を挿抜して取得しても良いし、最初の撮影またはいずれか１つの撮影時のみに白色拡散板２を挿抜して取得しても良い。
【００４８】
なお、本実施形態において、ＣＰＵ１２は、式（１）および式（２）を用いて、被写体の撮影およびホワイトバランス画像取得の露出条件を決めていたが、本発明はこれに限定されない。ＣＰＵ１２は、一般的なプログラム線図を用いて露出条件を決めることができる。
【００４９】
なお、本実施形態において、ホワイトバランス補正の処理が行われた画像はカードメモリ８に記録するとしたが、本発明はこれに限定されない。例えば、処理された画像を、カードメモリ８に記録するとともに、表示部１５に表示させても良い。
【００５０】
なお、本発明は、その精神またはその主要な特徴から逸脱することなく他の様々な形で実施することができる。そのため、上述した実施形態はあらゆる点で単なる例示にすぎず、限定的に解釈されてはならない。本発明は、特許請求の範囲によって示されるものであって、本発明は明細書本文には何ら拘束されない。さらに、特許請求の範囲の均等範囲に属する変形や変更は、全て本発明の範囲内である。
【図面の簡単な説明】
【００５１】
【図１】本発明の一の実施形態に係る撮像装置１０の構成を示す図である。
【図２】本発明の一の実施形態に係る撮像装置１０の動作を示すフローチャート。
【符号の説明】
【００５２】
１  撮像レンズ、２  白色拡散板、３  撮像素子、４  Ａ／Ｄ変換部、５  バッファメモリ、６  測光部、７  カードＩ／Ｆ、８  カードメモリ、９  ＴＧ、１０  撮像装置、１１  挿抜駆動部、１２  ＣＰＵ、１３  操作部材、１４  記憶部、１５  表示部、１６  ホワイトバランス補正部、１７  バス
【図１】
2009147642.tif 000003
【図２】
2009147642.tif 000004